(57)【要約】【課題】より確実に、統一感のある画像を提供する。【解決手段】選択対象決定部は、撮影または編集に関する選択肢から選択対象を決定し、表示制御部は、決定された選択対象に応じた情報を、所定の表示領域に表示し、落書き編集部は、前記撮影画像に合成される合成用画像であって、前記所定の表示領域に表示された前記選択対象に対応する合成用画像を、前記編集入力によって前記撮影画像に合成する。本発明は、例えば、写真シール作成装置に適用することができる。【選択図】図１０
2015090448.tif 000002
【特許請求の範囲】
【請求項１】
利用者を被写体として撮影し、得られた撮影画像に対して前記利用者に編集入力を行わせ、前記編集入力により編集された前記撮影画像を所定のシール紙に印刷して写真シールを作成する写真シール作成装置であって、
撮影または編集に関する選択肢から選択対象を決定する決定手段と、
前記決定手段により決定された前記選択対象に応じた情報を、所定の表示領域に表示する表示手段と、
前記撮影画像に合成される合成用画像であって、前記所定の表示領域に表示された前記選択対象に対応する合成用画像を、前記編集入力によって前記撮影画像に合成する編集手段と
を備える写真シール作成装置。
【請求項２】
前記決定手段は、前記利用者による選択操作に基づいて、前記選択対象を決定する
請求項１に記載の写真シール作成装置。
【請求項３】
前記決定手段は、前記利用者による選択操作が所定時間なされなかったことに応じて、前記選択対象を決定する
請求項２に記載の写真シール作成装置。
【請求項４】
前記表示手段は、
前記利用者に前記編集入力を行わせるための編集画面に、複数の前記合成用画像がタブ毎に表示される編集用パレットを表示し、
前記選択対象に応じた情報を含む文字列を、前記タブのうちの少なくともいずれか１つに表示し、
前記編集手段は、前記編集用パレットにおいて、前記文字列が表示された前記タブが選択されることで表示される、前記選択対象に対応する前記合成用画像を、前記編集入力によって前記撮影画像に合成する
請求項１乃至３のいずれかに記載の写真シール作成装置。
【請求項５】
前記選択肢は、撮影により得られた複数の前記撮影画像それぞれに合成させる背景画像であって、所定のテーマで統一された複数の背景画像を１組のセットとするセット背景画像であり、
前記表示手段は、前記選択対象とされた前記セット背景画像の名称を含む文字列を、前記タブのうちの少なくともいずれか１つに表示する
請求項４に記載の写真シール作成装置。
【請求項６】
前記表示手段は、前記選択対象とされた前記セット背景画像の名称を含む文字列が表示された前記タブの色を、前記選択対象とされた前記セット背景画像に含まれる前記背景画像の色に応じた色とする
請求項５に記載の写真シール作成装置。
【請求項７】
前記表示手段は、前記タブに表示される、前記選択対象とされた前記セット背景画像の名称を含む文字列の書体を、前記選択対象とされた前記セット背景画像に含まれる前記背景画像の色に応じた書体とする
請求項５または６に記載の写真シール作成装置。
【請求項８】
前記選択肢は、撮影により得られた前記撮影画像に合成させる背景画像であり、
前記表示手段は、前記選択対象とされた前記背景画像の名称を含む文字列を、前記タブのうちの少なくともいずれか１つに表示する
請求項４に記載の写真シール作成装置。
【請求項９】
前記選択肢は、前記利用者の名前入力に用いられる文字であり、
前記表示手段は、前記選択対象とされた文字からなる前記利用者の名前を含む文字列を、前記タブのうちの少なくともいずれか１つに表示する
請求項４に記載の写真シール作成装置。
【請求項１０】
前記選択肢は、前記利用者の人数であり、
前記表示手段は、前記選択対象とされた前記利用者の人数を含む文字列を、前記タブのうちの少なくともいずれか１つに表示する
請求項４に記載の写真シール作成装置。
【請求項１１】
前記表示手段は、
シール紙に印刷される複数の前記撮影画像の配置を表すシールレイアウトがタブ毎に表示されるシールレイアウト選択画面を表示し、
前記選択対象に応じた情報を含む文字列を、前記タブのうちの少なくともいずれか１つに表示する
請求項１乃至３のいずれかに記載の写真シール作成装置。
【請求項１２】
前記表示手段は、
前記利用者に前記編集入力を行わせるための編集画面に、前記編集入力の対象となる前記撮影画像のサムネイル画像を表示し、
前記選択対象に応じた情報を含む文字列を、前記サムネイル画像の近傍に表示する
請求項１乃至３のいずれかに記載の写真シール作成装置。
【請求項１３】
前記編集入力により編集された前記撮影画像を前記シール紙に印刷する印刷処理手段をさらに備え、
前記印刷処理手段は、前記選択対象に応じた情報を、前記撮影画像が印刷される前記シール紙における所定の領域に印刷する
請求項１乃至１２のいずれかに記載の写真シール作成装置。
【請求項１４】
利用者を被写体として撮影し、得られた撮影画像に対して前記利用者に編集入力を行わせ、前記編集入力により編集された前記撮影画像を所定のシール紙に印刷して写真シールを作成する写真シール作成装置の写真シール作成方法であって、
撮影または編集に関する選択肢から選択対象を決定し、
決定された前記選択対象に応じた情報を、所定の表示領域に表示し、
前記撮影画像に合成される合成用画像であって、前記所定の表示領域に表示された前記選択対象に対応する合成用画像を、前記編集入力によって前記撮影画像に合成する
ステップを含む写真シール作成方法。
【請求項１５】
利用者を被写体として撮影し、得られた撮影画像に対して前記利用者に編集入力を行わせ、前記編集入力により編集された前記撮影画像を所定のシール紙に印刷して写真シールを作成する写真シール作成装置を制御するコンピュータに実行させるプログラムであって、
撮影または編集に関する選択肢から選択対象を決定し、
決定された前記選択対象に応じた情報を、所定の表示領域に表示し、
前記撮影画像に合成される合成用画像であって、前記所定の表示領域に表示された前記選択対象に対応する合成用画像を、前記編集入力によって前記撮影画像に合成する
ステップを含む処理をコンピュータに実行させるプログラム。
【発明の詳細な説明】
【技術分野】
【０００１】
本発明は、写真シール作成装置および方法、並びにプログラムに関し、特に、統一感のある画像を提供することができるようにする写真シール作成装置および方法、並びにプログラムに関する。
【背景技術】
【０００２】
利用者を撮影し、撮影画像に対して利用者に編集を行わせ、編集後の画像をシール紙に印刷して提供する写真シール機が知られている。このような写真シール機は娯楽（遊戯）施設等に設置される。
【０００３】
写真シール機によって提供される１ゲームの流れは、通常、撮影空間内にいる利用者を被写体として撮影し、利用者を編集空間に移動させ、編集空間内で行われる操作に従って画像を編集し、編集後の画像である編集済み画像をシール紙に印刷するという流れになる。
【０００４】
このような写真シール機の中には、撮影画像に対して被写体の背景として合成される背景画像を、撮影画像毎に個々に選択させずに、所定のテーマで統一された複数の背景画像を１組のセットとしたセット背景を用意することで、複数の撮影画像それぞれに合成させる背景画像を一括で選択させるようにしたものがある。（例えば、特許文献１参照）。
【０００５】
また、落書き編集処理において、編集対象画像に合成させる合成用画像として、上述のセット背景に応じた、「シンプル」、「オシャレ」、「ポップ」といったテイストの編集ツール（ペン、スタンプ等）を利用者に提供する写真シール機がある（例えば、特許文献２参照）。
【０００６】
このように、複数の撮影画像に合成させる背景画像として、所定のテーマのセット背景を選択させたり、セット背景に応じたテイストの編集ツールで落書き編集を行わせることで、統一感のあるシール紙を利用者に提供することができる。
【先行技術文献】
【特許文献】
【０００７】
【特許文献１】特開２０１１−２３４２１５号公報
【特許文献２】特開２０１１−２３２６３０号公報
【発明の概要】
【発明が解決しようとする課題】
【０００８】
しかしながら、特許文献２の写真シール機のように、セット背景に応じたテイストの編集ツールが提供されていても、利用者によっては、このような編集ツールに気付かずに編集作業を行ってしまい、結果として、撮影画像と編集ツールとでテイストが異なってしまい、統一感のある画像が提供されない場合があった。
【０００９】
本発明は、このような状況に鑑みてなされたものであり、より確実に、統一感のある画像を提供することができるようにするものである。
【課題を解決するための手段】
【００１０】
本発明の一側面の写真シール作成装置は、利用者を被写体として撮影し、得られた撮影画像に対して前記利用者に編集入力を行わせ、前記編集入力により編集された前記撮影画像を所定のシール紙に印刷して写真シールを作成する写真シール作成装置であって、撮影または編集に関する選択肢から選択対象を決定する決定手段と、前記決定手段により決定された前記選択対象に応じた情報を、所定の表示領域に表示する表示手段と、前記撮影画像に合成される合成用画像であって、前記所定の表示領域に表示された前記選択対象に対応する合成用画像を、前記編集入力によって前記撮影画像に合成する編集手段とを備える。
【００１１】
前記決定手段には、前記利用者による選択操作に基づいて、前記選択対象を決定させることができる。
【００１２】
前記決定手段には、前記利用者による選択操作が所定時間なされなかったことに応じて、前記選択対象を決定させることができる。
【００１３】
前記表示手段には、前記利用者に前記編集入力を行わせるための編集画面に、複数の前記合成用画像がタブ毎に表示される編集用パレットを表示させ、前記選択対象に応じた情報を含む文字列を、前記タブのうちの少なくともいずれか１つに表示させ、前記編集手段には、前記編集用パレットにおいて、前記文字列が表示された前記タブが選択されることで表示される、前記選択対象に対応する前記合成用画像を、前記編集入力によって前記撮影画像に合成させることができる。
【００１４】
前記選択肢は、撮影により得られた複数の前記撮影画像それぞれに合成させる背景画像であって、所定のテーマで統一された複数の背景画像を１組のセットとするセット背景画像であり、前記表示手段には、前記選択対象とされた前記セット背景画像の名称を含む文字列を、前記タブのうちの少なくともいずれか１つに表示させることができる。
【００１５】
前記表示手段には、前記選択対象とされた前記セット背景画像の名称を含む文字列が表示された前記タブの色を、前記選択対象とされた前記セット背景画像に含まれる前記背景画像の色に応じた色とさせることができる。
【００１６】
前記表示手段には、前記タブに表示される、前記選択対象とされた前記セット背景画像の名称を含む文字列の書体を、前記選択対象とされた前記セット背景画像に含まれる前記背景画像の色に応じた書体とさせることができる。
【００１７】
前記選択肢は、撮影により得られた前記撮影画像に合成させる背景画像であり、前記表示手段には、前記選択対象とされた前記背景画像の名称を含む文字列を、前記タブのうちの少なくともいずれか１つに表示させることができる。
【００１８】
前記選択肢は、前記利用者の名前入力に用いられる文字であり、前記表示手段には、前記選択対象とされた文字からなる前記利用者の名前を含む文字列を、前記タブのうちの少なくともいずれか１つに表示させることができる。
【００１９】
前記選択肢は、前記利用者の人数であり、前記表示手段には、前記選択対象とされた前記利用者の人数を含む文字列を、前記タブのうちの少なくともいずれか１つに表示させることができる。
【００２０】
前記表示手段には、シール紙に印刷される複数の前記撮影画像の配置を表すシールレイアウトがタブ毎に表示されるシールレイアウト選択画面を表示させ、前記選択対象に応じた情報を含む文字列を、前記タブのうちの少なくともいずれか１つに表示させることができる。
【００２１】
前記表示手段には、前記利用者に前記編集入力を行わせるための編集画面に、前記編集入力の対象となる前記撮影画像のサムネイル画像を表示させ、前記選択対象に応じた情報を含む文字列を、前記サムネイル画像の近傍に表示させることができる。
【００２２】
前記編集入力により編集された前記撮影画像を前記シール紙に印刷する印刷処理手段をさらに設け、前記印刷処理手段には、前記選択対象に応じた情報を、前記撮影画像が印刷される前記シール紙における所定の領域に印刷させることができる。
【００２３】
本発明の一側面の写真シール作成方法は、利用者を被写体として撮影し、得られた撮影画像に対して前記利用者に編集入力を行わせ、前記編集入力により編集された前記撮影画像を所定のシール紙に印刷して写真シールを作成する写真シール作成装置の写真シール作成方法であって、撮影または編集に関する選択肢から選択対象を決定し、決定された前記選択対象に応じた情報を、所定の表示領域に表示し、前記撮影画像に合成される合成用画像であって、前記所定の表示領域に表示された前記選択対象に対応する合成用画像を、前記編集入力によって前記撮影画像に合成するステップを含む。
【００２４】
本発明の一側面のプログラムは、利用者を被写体として撮影し、得られた撮影画像に対して前記利用者に編集入力を行わせ、前記編集入力により編集された前記撮影画像を所定のシール紙に印刷して写真シールを作成する写真シール作成装置を制御するコンピュータに実行させるプログラムであって、撮影または編集に関する選択肢から選択対象を決定し、決定された前記選択対象に応じた情報を、所定の表示領域に表示し、前記撮影画像に合成される合成用画像であって、前記所定の表示領域に表示された前記選択対象に対応する合成用画像を、前記編集入力によって前記撮影画像に合成するステップを含む処理をコンピュータに実行させる。
【００２５】
本発明の一側面においては、撮影または編集に関する選択肢から選択対象が決定され、決定された選択対象に応じた情報が、所定の表示領域に表示され、撮影画像に合成される合成用画像であって、所定の表示領域に表示された選択対象に対応する合成用画像が、編集入力によって撮影画像に合成される。
【発明の効果】
【００２６】
本発明によれば、より確実に、統一感のある画像を提供することが可能となる。
【図面の簡単な説明】
【００２７】
【図１】本発明の一実施の形態に係る写真シール作成装置の外観の構成例を示す斜視図である。
【図２】写真シール作成装置の外観を他の角度からみた斜視図である。
【図３】利用者の移動について説明する図である。
【図４】撮影部の構成例を示す図である。
【図５】背景部の構成例を示す図である。
【図６】編集部の構成例を示す図である。
【図７】事後接客部の構成例を示す図である。
【図８】写真シール作成装置の内部の構成例を示すブロック図である。
【図９】制御部の機能構成例を示すブロック図である。
【図１０】編集処理部の機能構成例を示すブロック図である。
【図１１】写真シール作成ゲーム処理の流れの例を説明するフローチャートである。
【図１２】撮影処理について説明するフローチャートである。
【図１３】人数選択画面の例を示す図である。
【図１４】編集処理について説明するフローチャートである。
【図１５】名前入力画面の例を示す図である。
【図１６】セット背景選択画面の例を示す図である。
【図１７】セット背景パレットの他の例を示す図である。
【図１８】セット背景パレットの他の例を示す図である。
【図１９】セット背景パレットの他の例を示す図である。
【図２０】編集画面の例を示す図である。
【図２１】編集画面の例を示す図である。
【図２２】編集画面の例を示す図である。
【図２３】シールレイアウト選択画面の例を示す図である。
【図２４】出力されるシール紙の例を示す図である。
【発明を実施するための形態】
【００２８】
以下、本発明を適用した具体的な実施の形態について、図面を参照しながら詳細に説明する。
【００２９】
［写真シール作成装置の外観構成］
図１は、写真シール作成装置１の外観の構成例を示す斜視図である。
【００３０】
写真シール作成装置１は、撮影や編集等の作業を利用者にゲームとして行わせ、撮影画像や編集済み画像を提供する代わりに利用者より代金を受け取るゲーム機である。写真シール作成装置１はゲームセンタなどの店舗に設置される。利用者は１人であることもあるが、主に２人または３人等の複数人である。
【００３１】
写真シール作成装置１が提供するゲームで遊ぶ利用者は、代金を投入し、自身が被写体となって撮影を行い、撮影によって得られた撮影画像の中から選択した編集対象の画像に対して、背景や前景の画像となる合成用画像や手書きの線画やスタンプ画像を合成する編集機能を用いて編集を行うことにより、撮影画像を彩り豊かな画像にする。利用者は、編集済みの画像が印刷されたシール紙を受け取って一連のゲームを終了させることになる。
【００３２】
図１に示すように、写真シール作成装置１は、主に、撮影ユニット１１、編集部１２、および事後接客部１３から構成される。撮影ユニット１１と編集部１２が接した状態で設置され、編集部１２と事後接客部１３が接した状態で設置される。
【００３３】
撮影ユニット１１は、撮影部２１と背景部２２から構成される。撮影部２１と背景部２２は所定の距離だけ離れて設置され、撮影部２１と背景部２２の間に形成される空間である撮影空間において撮影処理が行われる。
【００３４】
撮影部２１は撮影処理を利用者に行わせる装置である。撮影部２１は、撮影空間に入り、撮影処理を行っている利用者の正面に位置する。撮影空間を正面に臨む面を構成する撮影部２１の正面パネル４１には、撮影処理時に利用者により用いられるタッチパネルモニタなどが設けられる。撮影空間にいる利用者から見て右側の面を右側面、左側の面を左側面とすると、撮影部２１の右側面が側面パネル４２Ａにより構成され、左側面が側面パネル４２Ｂ（図示せず）により構成される。
【００３５】
背景部２２は、正面を向いて撮影処理を行っている利用者の背面側に位置する板状の部材である背面パネル５１、背面パネル５１の右端に取り付けられ、側面パネル４２Ａより横幅の狭い板状の部材である側面パネル５２Ａ、および、背面パネル５１の左端に取り付けられ、側面パネル４２Ｂより横幅の狭い板状の部材である側面パネル５２Ｂ（図示せず）から構成される。
【００３６】
撮影部２１の右側面を構成する側面パネル４２Ａと背景部２２の側面パネル５２Ａは、ほぼ同一平面に設けられ、それぞれの上部が板状の部材である連結部２３Ａによって、それぞれの下部が、例えば金属製の略コの字型の部材である連結部２３Ａ’によって連結される。また、撮影部２１の左側面を構成する側面パネル４２Ｂと背景部２２の側面パネル５２Ｂは、ほぼ同一平面に設けられ、それぞれの上部が板状の部材である連結部２３Ｂによって、それぞれの下部が、例えば金属製の略コの字型の部材である連結部２３Ｂ’（図示せず）によって連結される。
【００３７】
撮影部２１の側面パネル４２Ａ、連結部２３Ａ、および背景部２２の側面パネル５２Ａに囲まれることによって形成される開口が撮影空間の出入り口Ｇ１となる。図示されないが、撮影部２１の側面パネル４２Ｂ、連結部２３Ｂ、および背景部２２の側面パネル５２Ｂに囲まれることによって形成される開口も撮影空間の出入り口Ｇ２となる。撮影空間の内部には床材２７が設置される。利用者は、撮影空間に入り、床材２７の上に立って撮影を行うことになる。
【００３８】
背景部２２の上部には、背面パネル５１、側面パネル５２Ａ、および側面パネル５２Ｂに支持される形で背景カーテンユニット２５が設けられる。背景カーテンユニット２５には、色または柄の異なる、背景に利用される巻き取り式の背景カーテンが複数収納される。背景カーテンユニット２５は、撮影部２１に設けられたカメラ等による撮影と連動して動作し、撮影の際に、例えば利用者により選択された色のカーテンを下ろし、その他のカーテンを巻き取る。
【００３９】
なお、背景カーテンユニット２５に収納される背景カーテンとしては、複数枚のカーテンを１枚のクロマキー用のカーテンとして使用する昇降式カーテンを用意してもよい。また、クロマキー用のカーテンを予め撮影空間の背面となる背面パネル５１に張り付けるとともに、合成用の背景画像を複数種類用意し、撮影処理や編集処理において、利用者が所望する背景画像をカーテンの部分に合成することができるようにしてもよい。
【００４０】
撮影空間の上方には、撮影部２１の正面パネル４１、連結部２３Ａ、連結部２３Ｂ、および背景カーテンユニット２５に囲まれる開口が形成され、その開口の一部を覆うように天井ストロボユニット２４が設けられる。天井ストロボユニット２４の一端が連結部２３Ａに固定され、他端が連結部２３Ｂに固定される。天井ストロボユニット２４は、フラッシュとして撮影に合わせて撮影空間内に向けて発光するストロボを内蔵する。天井ストロボユニット２４の内部には、ストロボの他に、蛍光灯が設けられており、撮影空間の照明としても機能する。
【００４１】
編集部１２は、撮影処理によって得られた画像を編集する処理である編集処理を利用者に行わせる装置である。編集部１２は、一方の側面が撮影部２１の正面パネル４１の背面に接するように撮影ユニット１１に連結して設けられる。編集部１２には、編集処理時に利用者により用いられるタブレット内蔵モニタなどの構成が設けられる。
【００４２】
図１に示す編集部１２の構成を正面側の構成とすると、２組の利用者が同時に編集処理を行うことができるように、編集部１２の正面側と背面側には編集処理に用いられる構成がそれぞれ設けられる。
【００４３】
編集部１２の正面側は、床面に対して垂直な面であり、側面パネル４２Ａとほぼ平行な面である面７１と、面７１の上方に形成された斜面７２から構成され、編集作業に用いられる構成が斜面７２に設けられる。斜面７２の右側には、柱状の形状を有し、照明装置７４の一端を支持する支持部７３Ａが設けられる。斜面７２の左側にも、照明装置７４の他端を支持する支持部７３Ｂ（図２）が設けられる。さらに、支持部７３Ａの右側には、板状の形状を有し、事後接客部１３が連結して設けられる支持部７３Ｃが設けられる。また、支持部７３Ｃの上面にはカーテンレール２６を支持する支持部７５が設けられる。
【００４４】
編集部１２の上方にはカーテンレール２６が取り付けられる。カーテンレール２６は、上から見たときの形状がコの字状となるように３本のレール２６Ａ乃至２６Ｃを組み合わせて構成される。平行に設けられるレール２６Ａと２６Ｂの一端は、連結部２３Ａと連結部２３Ｂにそれぞれ固定され、他端に残りの一本のレール２６Ｃの両端が接合される。
【００４５】
カーテンレール２６には、編集部１２の正面前方の空間と背面前方の空間の内部が外から見えないようにカーテンが取り付けられる。カーテンレール２６に取り付けられたカーテンにより囲まれる編集部１２の正面前方の空間と背面前方の空間が、利用者が編集処理を行う編集空間となる。
【００４６】
図２は、写真シール作成装置１を別の角度から見た斜視図である。
【００４７】
事後接客部１３は事後接客処理を利用者に行わせる装置である。事後接客処理には、撮影画像や編集済みの画像を携帯電話機などの携帯端末に送信する処理、ミニゲームを利用者に行わせる処理、アンケートに答えさせる処理などが含まれる。
【００４８】
図２に示すように、事後接客部１３は、所定の厚さを有する板状の筐体を有しており、編集部１２の右側面に接合されて設けられる。事後接客部１３の正面には、事後接客処理時に利用者により用いられるタブレット内蔵モニタや、撮影画像や編集済みの画像が印刷されたシール紙が排出される排出口などが設けられる。事後接客部１３の正面前方の空間が、シール紙への印刷が終わるのを待っている利用者が事後接客処理を行う事後接客空間となる。
【００４９】
ここで、写真シール作成ゲームの流れと、それに伴う利用者の移動について図３を参照して説明する。図３は、写真シール作成装置１を上から見た平面図である。
【００５０】
写真シール作成装置１の利用者は、白抜き矢印＃１で示すように出入り口Ｇ１から、または白抜き矢印＃２で示すように出入り口Ｇ２から、撮影部２１と背景部２２の間に形成された撮影空間Ａ１に入り、撮影部２１に設けられたカメラやタッチパネルモニタなど利用して撮影処理を行う。
【００５１】
撮影処理を終えた利用者は、白抜き矢印＃３で示すように出入り口Ｇ１を使って撮影空間Ａ１から出て編集空間Ａ２−１に移動するか、白抜き矢印＃４で示すように出入り口Ｇ２を使って撮影空間Ａ１から出て編集空間Ａ２−２に移動する。
【００５２】
編集空間Ａ２−１は、編集部１２の正面側の編集空間であり、編集空間Ａ２−２は、編集部１２の背面側の編集空間である。編集空間Ａ２−１と編集空間Ａ２−２のいずれの空間に移動するのかが、撮影部２１のタッチパネルモニタの画面表示などによって案内される。例えば２つの編集空間のうちの空いている方の空間が移動先として案内される。編集空間Ａ２−１または編集空間Ａ２−２に移動した利用者は編集処理を開始する。編集空間Ａ２−１の利用者と、編集空間Ａ２−２の利用者は同時に編集処理を行うことができる。
【００５３】
編集処理が終了した後、撮影画像や編集済みの画像の中から選択された画像の印刷が開始される。画像の印刷中、編集処理を終えた利用者は、編集空間Ａ２−１で編集処理を行っていた場合には白抜き矢印＃５で示すように編集空間Ａ２−１から事後接客空間Ａ３に移動して事後接客処理を行う。また、編集処理を終えた利用者は、編集空間Ａ２−２で編集処理を行っていた場合には白抜き矢印＃６で示すように編集空間Ａ２−２から事後接客空間Ａ３に移動し、事後接客空間Ａ３において事後接客処理を行う。
【００５４】
画像の印刷が終了したとき、利用者は、事後接客部１３に設けられた排出口からシール紙を受け取り、一連の写真シール作成ゲームを終えることになる。
【００５５】
次に、各装置の構成について説明する。
【００５６】
［撮影部の構成］
図４は、撮影部２１の正面の構成例を示す図である。撮影部２１は、正面パネル４１、側面パネル４２Ａ、および側面パネル４２Ｂが、箱状の形状を有するベース部４３に取り付けられることによって構成される。
【００５７】
正面パネル４１は撮影空間Ａ１で撮影処理を行う利用者の正面に位置し、側面パネル４２Ａと側面パネル４２Ｂは、それぞれ、撮影空間Ａ１で撮影処理を行う利用者の左側、右側に位置する。
【００５８】
正面パネル４１の中央からやや上側には撮影・表示ユニット８１が設けられる。撮影・表示ユニット８１は、カメラ９１、タッチパネルモニタ９２、および正面ストロボ９３から構成される。
【００５９】
カメラ９１は、レンズやCCD(Charge Coupled Device)などの撮像素子により構成され、撮影空間Ａ１にいる利用者を撮影する。カメラ９１により取り込まれた動画像は、タッチパネルモニタ９２にリアルタイムで表示される。利用者により撮影が指示されたときなどの所定のタイミングでカメラ９１により取り込まれた画像は撮影画像（静止画像）として保存される。
【００６０】
カメラ９１の下側に設けられたタッチパネルモニタ９２は、LCD(Liquid Crystal Display)などのモニタと、それに積層されたタッチパネルにより構成される。タッチパネルモニタ９２は、カメラ９１により取り込まれた動画像を表示するライブビューモニタとしての機能と、各種のGUI(Graphical User Interface)画像を表示し、利用者の選択操作をタッチパネルにより受け付ける機能とを備えている。タッチパネルモニタ９２には、適宜、撮影結果としての静止画像や、背景等の画像が合成された後の動画像が表示される。
【００６１】
カメラ９１の上側および左右を囲むように半円状の発光面（乳白アクリル板）が設けられた正面ストロボ９３は、内蔵されたストロボがカメラ９１による撮影に合わせて発光することで、被写体としての利用者の顔付近を正面から照射する。
【００６２】
正面パネル４１には、撮影・表示ユニット８１の上方に右上ストロボ８２および左上ストロボ８３が設置される。右上ストロボ８２は、内蔵されたストロボが発光することで、利用者を、利用者から見て右上前方から照射し、左上ストロボ８３は、内蔵されたストロボが発光することで、利用者を、利用者から見て左上前方から照射する。
【００６３】
ベース部４３には利用者の足元を照射する足元ストロボ８４も設けられる。右上ストロボ８２、左上ストロボ８３、足元ストロボ８４、および正面ストロボ９３の内部には、ストロボの他に、蛍光灯を設けるようにし、天井ストロボユニット２４の内部の蛍光灯と合わせて、撮影空間Ａ１内の照明として用いられるようにしてもよい。各ストロボの発光量が調整されることによって、または、発光させるストロボの数が調整されることによって、利用者に照射される光が調整される。
【００６４】
足元ストロボ８４の右側には、利用者がお金を投入する硬貨投入返却口８５が設けられる。
【００６５】
ベース部４３の上面の左右に形成されるスペース４３Ａおよび４３Ｂは、撮影処理を行う利用者が手荷物等を置くための荷物置き場として用いられる。正面パネル４１の例えば天井付近には、撮影処理の案内音声、BGM(Back Ground Music)、効果音等の音を出力するスピーカも設けられる。
【００６６】
［背景部の構成］
図５は、背景部２２の撮影空間Ａ１側の構成例を示す図である。
【００６７】
上述したように、背面パネル５１の上方には背景カーテンユニット２５が設けられる。背景カーテンユニット２５のほぼ中央には、撮影空間Ａ１内で撮影処理を行っている利用者を後方中央から照射する背面中央ストロボ１０１が取り付けられる。
【００６８】
背面パネル５１の、出入り口Ｇ１側の位置には、撮影空間Ａ１内で撮影処理を行っている利用者を右後方から照射する背面右ストロボ１０２が取り付けられる。また、背面パネル５１の、出入り口Ｇ２側の位置には、撮影空間Ａ１内で撮影処理を行っている利用者を左後方から照射する背面左ストロボ１０３が取り付けられる。
【００６９】
［編集部の構成］
図６は、編集部１２の背面側（編集空間Ａ２−２側）の構成例を示す図である。
【００７０】
斜面７２のほぼ中央には、タブレット内蔵モニタ１３１が設けられる。タブレット内蔵モニタ１３１を挟んで左側にタッチペン１３２Ａが設けられ、右側にタッチペン１３２Ｂが設けられる。
【００７１】
タブレット内蔵モニタ１３１は、タッチペン１３２Ａまたは１３２Ｂを用いて操作入力が可能なタブレットがLCDなどのモニタに重畳して設けられることによって構成される。タブレット内蔵モニタ１３１には、例えば、編集対象画像として選択された撮影画像の編集に用いられる画面である編集画面が表示される。２人で同時に編集作業を行う場合、タッチペン１３２Ａは一方の利用者により用いられ、タッチペン１３２Ｂは他方の利用者により用いられる。
【００７２】
編集部１２の左側には事後接客部１３が設けられる。
【００７３】
［事後接客部の構成］
図７は、事後接客部１３の正面側の構成例を示す図である。
【００７４】
事後接客部１３の上方中央にはタブレット内蔵モニタ１６１が設けられる。タブレット内蔵モニタ１６１は、利用者の指等を用いて操作入力が可能なタブレットがLCDなどのモニタに重畳して設けられることによって構成される。タブレット内蔵モニタ１６１には、事後接客処理に用いられる画面が表示される。
【００７５】
タブレット内蔵モニタ１６１の下にはスピーカ１６２が設けられ、スピーカ１６２の下にはシール紙排出口１６３が設けられる。
【００７６】
スピーカ１６２は、事後接客処理の案内音声、BGM、効果音等の音を出力する。
【００７７】
シール紙排出口１６３には、編集空間Ａ２−１の利用者が編集処理を行うことによって作成した画像が印刷されたシール紙、または、編集空間Ａ２−２の利用者が編集処理を行うことによって作成した画像が印刷されたシール紙が排出される。編集部１２の内部にはプリンタが設けられており、画像の印刷がそのプリンタにより行われる。
【００７８】
［写真シール作成装置の内部構成］
次に、写真シール作成装置１の内部構成について説明する。図８は、写真シール作成装置１の内部の構成例を示すブロック図である。上述した構成と同じ構成には同じ符号を付してある。重複する説明については適宜省略する。
【００７９】
制御部２０１はCPU(Central Processing Unit)などよりなり、ROM(Read Only Memory)２０６や記憶部２０２に記憶されているプログラムを実行し、写真シール作成装置１の全体の動作を制御する。制御部２０１には、記憶部２０２、通信部２０３、ドライブ２０４、ROM２０６、RAM(Random Access Memory)２０７が接続される。制御部２０１には、撮影部２０８、編集部２０９、および事後接客部２１０の各構成も接続される。
【００８０】
記憶部２０２は、ハードディスクやフラッシュメモリなどの不揮発性の記憶媒体からなり、制御部２０１から供給された各種の設定情報等を記憶する。記憶部２０２に記憶されている情報は制御部２０１により適宜読み出される。
【００８１】
通信部２０３は、インターネットなどのネットワークのインタフェースであり、制御部２０１による制御に従って外部の装置と通信を行う。
【００８２】
ドライブ２０４には、光ディスクや半導体メモリなどよりなるリムーバブルメディア２０５が適宜装着される。ドライブ２０４によりリムーバブルメディア２０５から読み出されたコンピュータプログラムやデータは、制御部２０１に供給され、記憶部２０２に記憶されたり、インストールされたりする。
【００８３】
ROM２０６には、制御部２０１において実行されるプログラムやデータが記憶されている。RAM２０７は、制御部２０１が処理するデータやプログラムを一時的に記憶する。
【００８４】
撮影部２０８は、撮影空間Ａ１における撮影処理を行う構成である硬貨処理部２２１、背景制御部２２２、照明装置２２３、カメラ９１、タッチパネルモニタ９２、およびスピーカ２２４から構成される。
【００８５】
硬貨処理部２２１は、硬貨投入返却口８５に対する硬貨の投入を検出する。硬貨処理部２２１は、例えば４００円などの所定の金額分の硬貨が投入されたことを検出した場合、そのことを表す起動信号を制御部２０１に出力する。
【００８６】
背景制御部２２２は、制御部２０１より供給される背景制御信号に従って背景カーテンユニット２５に収納されている背景カーテンの上げ下ろしを行う。背景カーテンの選択が利用者により手動で行われるようにしてもよい。
【００８７】
照明装置２２３は、撮影空間Ａ１内の各ストロボの内部に設けられるストロボ（フラッシュ）であり、制御部２０１より供給される照明制御信号に従って発光する。上述したように、撮影空間Ａ１には、天井ストロボユニット２４のストロボの他に、撮影部２１に設けられる右上ストロボ８２、左上ストロボ８３、足元ストロボ８４、正面ストロボ９３、背景部２２に設けられる背面中央ストロボ１０１、背面右ストロボ１０２、背面左ストロボ１０３が設けられている。
【００８８】
カメラ９１は、制御部２０１による制御に従って撮影を行い、撮影によって得られた画像を制御部２０１に出力する。
【００８９】
編集部２０９Ａは、編集空間Ａ２−１における編集処理を行う構成として編集部１２の正面側に設けられるタブレット内蔵モニタ１３１、タッチペン１３２Ａ，１３２Ｂ、およびスピーカ２３１から構成される。編集部２０９Ｂも編集部２０９Ａと同一の構成を有しており、編集空間Ａ２−２における編集処理を行う。
【００９０】
タブレット内蔵モニタ１３１は、制御部２０１による制御に従って編集画面を表示し、編集画面に対する利用者の操作を検出する。利用者の操作の内容を表す信号は制御部２０１に供給され、編集対象の撮影画像の編集が行われる。
【００９１】
事後接客部２１０は、事後接客空間Ａ３における事後接客処理を行う構成であるタブレット内蔵モニタ１６１、スピーカ１６２、印刷処理を行う構成であるプリンタ２４１、およびシール紙ユニット２４２から構成される。
【００９２】
プリンタ２４１は、撮影画像、または編集処理によって得られた編集済みの画像を、プリンタ２４１に装着されたシール紙ユニット２４２に収納されているシール紙に印刷し、シール紙排出口１６３に排出する。
【００９３】
［制御部の構成］
次に、制御部２０１について説明する。図９は、制御部２０１がROM２０６などに格納されているプログラムを実行することにより実現される機能ブロックの構成例を示している。
【００９４】
制御部２０１は、写真シール作成ゲームを開始する際に投入される代金に関する処理や利用者グループを撮影する等の写真シール作成ゲームの撮影作業の工程に関する処理を行う撮影処理部３０１、撮影画像に対する落書き編集等の写真シール作成ゲームの編集作業の工程に関する処理を行う編集処理部３０２、シール紙の印刷等の写真シール作成ゲームの印刷の工程に関する処理を行う印刷処理部３０３、および、編集作業を終了した利用者グループを接客する写真シール作成ゲームの事後接客の工程に関する処理を行う事後接客処理部３０４を有する。
【００９５】
このように、制御部２０１は、写真シール作成ゲームの各工程に関する処理の制御を行う。
［編集処理部の構成例］
【００９６】
図１１は、編集処理部３０２の詳細な機能構成例を示すブロック図である。
【００９７】
編集処理部３０２は、撮影画像取得部３２１、表示制御部３２２、入力受付部３２３、選択対象決定部３２４、落書き編集部３２５、および分割数設定部３２６から構成される。
【００９８】
撮影画像取得部３２１は、撮影空間Ａ１における撮影処理により得られる撮影画像を取得する。
【００９９】
表示制御部３２２は、タッチパネルモニタ９２の表示を制御する。
【０１００】
入力受付部３２３は、タッチパネルモニタ９２に表示される各種のGUIに対して利用者により行われる操作入力を受け付ける。
【０１０１】
選択対象決定部３２４は、編集に関する選択肢から、入力受付部３２３により受け付けられた操作入力（選択操作）に基づいて、選択対象を決定する。選択対象決定部３２４によって決定された選択対象に応じた情報は、表示制御部３２２によって所定の表示領域に表示されるようになる。編集に関する選択肢としては、例えば、後述するセット背景（所定のテーマで統一された複数の背景画像のセット）があり、選択対象に応じた情報は、複数のセット背景の中から利用者により選択されたセット背景の名称とされる。セット背景の名称には、そのセット背景に含まれる背景画像を形容する文言、その複数の背景画像を象徴する色の名称や様態を表す言葉などが与えられている。
【０１０２】
落書き編集部３２５は、編集空間Ａ２−１や編集空間Ａ２−２において行われる、利用者による撮影画像に対する落書き編集作業に関する処理を行う。また、落書き編集部３２５は、利用者の指示に応じて決定された選択対象に対応する落書き編集処理を利用者に行わせる。
【０１０３】
分割数設定部３２６は、シールレイアウトを決定するシール紙の分割数の設定に関する処理を行う。シールレイアウトは、写真シール作成ゲームの一連の処理において最終的に出力されるシール紙における画像（編集済み画像）の配置を示すものである。
【０１０４】
［写真シール作成装置の動作］
ここで、図１２のフローチャートを参照して、写真シール作成ゲームを提供する写真シール作成装置１の処理について説明する。
【０１０５】
ステップＳ１において、写真シール作成装置１の撮影処理部３０１は、所定の金額分の硬貨が投入されたか否かを硬貨処理部２２１から供給される信号に基づいて判定し、投入されたと判定するまで待機する。
【０１０６】
ステップＳ１において、硬貨が投入されたと判定された場合、ステップＳ２において、撮影処理部３０１は、撮影部２０８を制御し、カメラ９１に取り込まれた被写体の動画像をタッチパネルモニタ９２にライブビュー表示させ、撮影空間Ａ１にいる利用者を被写体として撮影し、撮影画像を出力する撮影処理を行う。
【０１０７】
撮影処理においては、例えば６回の撮影が行われ、撮影結果として、６枚の撮影画像が得られる。もちろん、撮影が行われる回数は、６回に限られない。
【０１０８】
ステップＳ３において、撮影処理部３０１は、撮影空間Ａ１にいる利用者に対して、編集空間Ａ２−１または編集空間Ａ２−２への移動を案内する。編集空間Ａ２−１または編集空間Ａ２−２への移動の案内は、撮影部２０８のタッチパネルモニタ９２に画面を表示させることによって、または音声をスピーカ２２４から出力させることによって行われる。
【０１０９】
ステップＳ４において、編集処理部３０２は、編集空間Ａ２−１と編集空間Ａ２−２のうち、撮影処理を終えた利用者の移動先とした方の編集空間に対応する編集部２０９を制御し、撮影処理により得られた撮影画像に対して利用者に落書き編集入力を行わせ、落書き編集が施された編集済み画像を出力する編集処理を行う。
【０１１０】
ステップＳ５において、編集処理部３０２は、編集空間Ａ２−１または編集空間Ａ２−２で編集処理を終えた利用者に対して事後接客空間Ａ３への移動を案内する。事後接客空間Ａ３への移動の案内は、タブレット内蔵モニタ１３１に画面を表示させることによって、または音声をスピーカ２３１から出力させることによって行われる。
【０１１１】
ステップＳ６において、印刷処理部３０３は、撮影処理により得られた撮影画像、または編集処理により得られた編集済み画像を、印刷画像としてプリンタ２４１に出力してシール紙に印刷する印刷処理を行う（開始する）。
【０１１２】
また、タブレット内蔵モニタ１６１に表示される、事後接客処理の開始ボタンが選択されると、ステップＳ７において、事後接客処理部３０４は、印刷終了待機中の利用者に対する事後接客処理を行う。具体的には、事後接客処理部３０４は、撮影画像や編集済みの画像を、携帯送信用画像として携帯端末に送信する携帯送信ゲーム処理を事後接客処理として行う。
【０１１３】
印刷が終了すると、ステップＳ８において、事後接客処理部３０４は、印刷が終了した旨をタブレット内蔵モニタ１６１に表示させ、プリンタ２４１は、画像が印刷されたシール紙をシール紙排出口１６３に排出し、処理を終了させる。
【０１１４】
［撮影処理の例］
次に、図１２のフローチャートを参照して、上述した写真シール作成ゲームの一連の処理におけるステップＳ２の撮影処理の流れを説明する。
【０１１５】
まず、ステップＳ１１において、撮影処理部３０１は、写り選択画面をタッチパネルモニタ９２に表示させる。写り選択画面は、撮影画像における被写体の写りに応じた撮影コースの選択に用いられる画面である。
【０１１６】
ステップＳ１２において、撮影処理部３０１は、人数選択画面をタッチパネルモニタ９２に表示させる。人数選択画面は、利用者の人数に応じた撮影コースの選択に用いられる画面である。
【０１１７】
図１３は、人数選択画面の例を示す図である。
【０１１８】
人数選択画面の中央上方には「撮りたいコースを選んでね」のメッセージが表示され、メッセージの下方左側には、２人用コースを選択するときに操作（選択）されるサンプル画像３５１が表示される。サンプル画像３５１は、２人用コースで撮影を行ったときに得られる画像のサンプルである。
【０１１９】
サンプル画像３５１の右側には、３人用コースを選択するときに操作されるサンプル画像３５２と、４人用コースを選択するときに操作されるサンプル画像３５３が、縦に並べて表示される。サンプル画像３５２は３人用コースで撮影を行ったときに得られる画像のサンプルであり、サンプル画像３５３は４人用コースで撮影を行ったときに得られる画像のサンプルである。
【０１２０】
なお、人数選択画面における操作によって、利用者の人数に応じた撮影コースが決定される以外にも、後述するライブビュー画像に対して顔認証処理を行い、被写体（利用者）の顔の数を検知することによって、利用者の人数に応じた撮影コースが決定されるようにしてもよい。
【０１２１】
ステップＳ１３において、撮影処理部３０１は、カメラ９１を制御し、画像の取り込みを開始させ、カメラ９１により取り込まれた動画像（ライブビュー画像）をタッチパネルモニタ９２に表示させる（ライブビュー表示を行う）。
【０１２２】
このとき、撮影処理部３０１は、ステップＳ１２において選択された利用者の人数に応じた画角、例えば２人用コースが選択されている場合、縦横比が約１：１．２となる画角でライブビュー画像を取り込み表示させる。また、３人用コースが選択されている場合、縦横比が約３：４となる画角でライブビュー画像を取り込み、４人用コースが選択されている場合、縦横比が約９：１６となる画角でライブビュー画像を取り込み、表示させる。
【０１２３】
ステップＳ１４において、撮影処理部３０１は、タッチパネルモニタ９２にカウントダウンインジケータを表示し、撮影タイミングを利用者に通知する。
【０１２４】
撮影タイミングになったとき、ステップＳ１５において、撮影処理部３０１は、カメラ９１を制御して撮影を行い、静止画像である撮影画像を取得する。この撮影画像もまた、ステップＳ１２において選択された利用者の人数に応じた画角で撮影されたものとなる。すなわち、撮影処理部３０１は、利用者の人数に応じた画角で撮影を行う。
【０１２５】
具体的には、２人用コースにおいては、縦横比が約１：１．２となる画角で撮影された撮影画像が取得される。また、３人用コースにおいては、縦横比が約３：４となる画角で撮影された撮影画像が取得され、４人用コースにおいては、縦横比が約９：１６となる画角で撮影された撮影画像が取得される。
【０１２６】
このように、利用者の人数に応じて、利用者それぞれの顔が適切に収まる画角で撮影が行われるので、人物（被写体）の配置のバランスのよい撮影画像を得ることができ、結果として、利用者の満足度を向上させることができる。
【０１２７】
撮影処理部３０１は、ステップＳ１６において、撮影画像を、撮影結果として撮影画面に表示した後、ステップＳ１７において、撮影を所定回数繰り返し行ったか否かを判定する。ステップＳ１７において撮影を所定回数行っていないと判定された場合、処理はステップＳ１３に戻り、上述の処理を繰り返し行う。具体的には、２人用コースおよび３人用コースの場合には６回の撮影が行われるまで、４人用コースの場合には５回の撮影が行われるまで、上述の処理が繰り返される。
【０１２８】
ステップＳ１８において、撮影処理部３０１は、得られた６枚または４枚の撮影画像を撮影結果として記憶部２０２に保存（記憶）させる。その後、図１１のステップＳ２に戻り、それ以降の処理が行われる。
【０１２９】
［編集処理の例］
次に、図１４のフローチャートを参照して、上述した写真シール作成ゲームの一連の処理におけるステップＳ４の編集処理の流れを説明する。
【０１３０】
編集処理が開始されると、ステップＳ３１において、撮影画像取得部３２１は、撮影処理部３０１により得られた、例えば６枚の撮影画像を、記憶部２０２から取得する。
【０１３１】
ステップＳ３２において、表示制御部３２２は、タブレット内蔵モニタ１３１にレタッチ画面を表示する。レタッチ画面は、撮影画像に写る被写体（利用者）毎に、被写体の目の大きさや明るさ、顔の大きさの変更を受け付けるための画面である。
【０１３２】
ステップＳ３３において、表示制御部３２２は、タブレット内蔵モニタ１３１にGUIを表示し、入力受付部３２３は、利用者からの指示を受け付け、利用者それぞれの名前（おなまえ）を入力させる。そして、選択対象決定部３２４は、名前入力に用いられる文字を選択肢として、入力受付部３２３が選択を受け付けた文字を選択対象に決定する。
【０１３３】
図１５は、名前の入力の際に表示される名前入力画面の例を示す図である。
【０１３４】
図１５に示されるように、名前入力画面４０１の左側には、タブレット内蔵モニタ１３１に対して左側の利用者が、自分の名前を入力するための名前入力部４１１−１が表示されている。名前入力部４１１−１には、ひらがな表示欄４２１−１、ローマ字表示欄４２２−１、戻るボタン４２３−１、消去ボタン４２４−１、ひらがなキー４２５−１、ＯＫボタン４２６−１、およびスキップボタン４２７−１が表示されている。
【０１３５】
また、名前入力画面４０１の右側には、名前入力画面４０１の左側と同様に、タブレット内蔵モニタ１３１に対して右側の利用者が、自分の名前を入力するための名前入力部４１１−２が表示されている。名前入力部４１１−２には、ひらがな表示欄４２１−２、ローマ字表示欄４２２−２、戻るボタン４２３−２、消去ボタン４２４−２、ひらがなキー４２５−２、ＯＫボタン４２６−２、およびスキップボタン４２７−２が表示されている。
【０１３６】
例えば、タブレット内蔵モニタ１３１に対して左側の利用者が、ひらがなキー４２５−１において所定の文字のキーを選択すると、ひらがな表示欄４２１−１およびローマ字表示欄４２２−１には、それぞれ対応するひらがなおよびローマ字が表示される。
【０１３７】
戻るボタン４２３−１が選択されると、ひらがな表示欄４２１−１およびローマ字表示欄４２２−１に表示されているひらがな１文字分のひらがなおよびローマ字が消去され、消去ボタン４２４−１が選択されると、ひらがな表示欄４２１−１およびローマ字表示欄４２２−１に表示されている全てのひらがなおよびローマ字が消去される。
【０１３８】
ＯＫボタン４２６−１が選択されると、ひらがな表示欄４２１−１およびローマ字表示欄４２２−１に表示されているひらがなおよびローマ字が、タブレット内蔵モニタ１３１に対して左側の利用者に紐付けられる。
【０１３９】
以上のようにして、タブレット内蔵モニタ１３１に対して左側の利用者による名前入力が行われる。なお、スキップボタン４２７−１が選択されると、タブレット内蔵モニタ１３１に対して左側の利用者による名前入力は行われない。
【０１４０】
名前入力画面４０１の右側についても、タブレット内蔵モニタ１３１に対して右側の利用者による名前入力が行われる。
【０１４１】
ステップＳ３４において、表示制御部３２２は、タブレット内蔵モニタ１３１にGUIを表示し、入力受付部３２３は、利用者からの指示を受け付け、セット背景画像（以下、セット背景という）を選択させる。そして、選択対象決定部３２４は、複数のセット背景を選択肢として、入力受付部３２３が選択を受け付けたセット背景を選択対象に決定する。
【０１４２】
セット背景は、撮影により得られた、例えば６枚の複数の撮影画像それぞれに合成させる背景画像であって、所定のテーマで統一された複数の背景画像を１組のセットとしたものである。
【０１４３】
図１６は、セット背景の選択の際に表示されるセット背景選択画面の例を示す図である。
【０１４４】
図１６に示されるように、セット背景選択画面５０１の下半分には、利用者に選択させるセット背景が表示されるセット背景パレット５１１が設けられている。セット背景パレット５１１の上方には、セット背景パレット５１１において利用者により選択されたセット背景が表示される選択セット背景表示部５１２が設けられている。また、選択セット背景表示部５１２の右側には、選択セット背景表示部５１２に表示されているセット背景を、撮影画像に合成されるセット背景として決定するためのＯＫボタン５１３が設けられている。
【０１４５】
セット背景パレット５１１には、セット背景が、「写真プリ」、「カラー」、「デザイン」、「イベント」といったジャンル毎のタブに表示されるようになされており、図１６の例では、「カラー」タブが選択されている。「カラー」タブには、「モノクロセット」、「グレーホワイトセット」、「ヌーディーセット」、「パステルセット」、「グレー×ピンクセット」、「パステルブルーセット」、「ミントパステルセット」、「モノトーンwallセット」の８つのセット背景５３１乃至５３８がテーマ毎に表示されている。具体的には、「カラー」タブに表示されるセット背景５３１乃至５３８それぞれには、色の種類を表すテーマが与えられている。
【０１４６】
「カラー」タブに表示されるセット背景５３１乃至５３８は、それぞれテーマに合った、統一感のある６枚の背景画像が配置されて構成される。
【０１４７】
さらに、セット背景パレット５１１の右下方には、「人物ON」ボタン５４１および「人物OFF」ボタン５４２が設けられている。「人物ON」ボタン５４１が選択されると、セット背景パレット５１１に表示されているセット背景５３１乃至５３８、および選択セット背景表示部５１２に表示されているセット背景それぞれは、６枚の撮影画像が合成された状態で表示される。「人物OFF」ボタン５４２が選択されると、それぞれのセット背景は、６枚の撮影画像が合成されていない状態で表示される。
【０１４８】
このように、セット背景選択画面５０１に表示されるセット背景を、撮影画像と合成させて表示させることで、利用者は、セット背景を合成させた後の撮影画像の仕上がりを確認しながら、セット背景を選択することができる。
【０１４９】
なお、セット背景において、背景画像それぞれは、合成される撮影画像の撮影順に配置されているものとする。
【０１５０】
例えば、選択セット背景表示部５１２において、セット背景を構成する６枚の背景画像が表示される領域をそれぞれ領域５１２−１乃至５１２−６とすると、セット背景において、領域５１２−１に対応する背景画像は、１回目の撮影により得られた撮影画像に合成され、領域５１２−２に対応する背景画像は、２回目の撮影により得られた撮影画像に合成される。同様にして、領域５１２−３に表示対応する背景画像は、３回目の撮影により得られた撮影画像に合成され、領域５１２−４に対応する背景画像は、４回目の撮影により得られた撮影画像に合成され、領域５１２−５に対応する背景画像は、５回目の撮影により得られた撮影画像に合成され、領域５１２−６に対応する背景画像は、６回目の撮影により得られた撮影画像に合成される。
【０１５１】
すなわち、「人物ON」ボタン５４１が選択されるとセット背景に合成されて表示される６枚の撮影画像は、撮影順に応じて配置される。
【０１５２】
図１７は、「デザイン」タブが選択されているセット背景パレット５１１を示している。
【０１５３】
「デザイン」タブには、「cherryセット」、「ロイヤルブルーセット」、「ビビッドセット」、「ネオンセット」、「おしゃれセット」、「ピンクチェリーセット」、「レオパードセット」、「Lipセット」の８つのセット背景５５１乃至５５８がテーマ毎に表示されている。具体的には、「デザイン」タブに表示されるセット背景５５１乃至５５８それぞれには、イラストや図柄によって表現されるテーマが与えられている。
【０１５４】
「デザイン」タブに表示されるセット背景５５１乃至５５８もまた、それぞれテーマに合った、統一感のある６枚の背景画像が配置されて構成される。
【０１５５】
図１８は、「イベント」タブが選択されているセット背景パレット５１１を示している。
【０１５６】
「イベント」タブには、「ラブラブセット」、「パーティセット」、「誕生日セット」、「春セット」、「ラブラブセット２」、「なかよしセット」、「誕生日セット２」、「記念日セット」の８つのセット背景５６１乃至５６８がテーマ毎に表示されている。具体的には、「イベント」タブに表示されるセット背景５６１乃至５６８それぞれには、季節に応じたイベントや個人的な記念日等を表すテーマが与えられている。
【０１５７】
「イベント」タブに表示されるセット背景５６１乃至５６８もまた、それぞれテーマに合った、統一感のある６枚の背景画像が配置されて構成される。
【０１５８】
なお、図示はしないが、「写真プリ」タブに表示されるセット背景それぞれには、撮影画像の仕上がりを、写真のように見せるようにする背景の色が、テーマとして与えられている。
【０１５９】
以上においては、６枚の撮影画像それぞれに合成されるセット背景、すなわち、撮影処理において２人用コースまたは３人用コースのいずれかが選択された場合に選択可能とされるセット背景の例について説明したが、撮影処理において４人用コースが選択された場合には、５枚の撮影画像それぞれに合成されるセット背景が利用者に選択可能とされる。
【０１６０】
図１９は、撮影処理において４人用コースが選択された場合に表示されるセット背景選択画面の例を示す図である。
【０１６１】
なお、図１９のセット背景選択画面に５０１において、図１６のセット背景選択画面５０１と同様の構成については、その説明を適宜省略する。
【０１６２】
図１９のセット背景パレット５１１には、図１６と同様、セット背景が、「写真プリ」、「カラー」、「デザイン」、「イベント」といったジャンル毎のタブに表示されるようになされており、図１６の例では、「カラー」タブが選択されている。「カラー」タブには、「モノクロセット」、「グレーホワイトセット」、「ヌーディーセット」、「パステルセット」、「グレーピンクセット」、「パステルブルーセット」、「ミントパステルセット」、「モノトーンwallセット」の８つのセット背景５７１乃至５７８がテーマ毎に表示されている。
【０１６３】
「カラー」タブに表示されるセット背景５７１乃至５７８は、それぞれテーマに合った、統一感のある５枚の背景画像が縦１列に配置されて構成される。
【０１６４】
また、図１９の例では、選択セット背景表示部５１２において、セット背景を構成する５枚の背景画像が表示される領域５１２−１乃至５１２−５が設けられている。図１９の選択セット背景表示部５１２において、図１６の選択セット背景表示部５１２の領域５１２−６に対応する領域には、写真シール作成装置１の機種名である「Cherry Cherry」のロゴが表示される。
【０１６５】
なお、以上においては、セット背景が選択されることで、５枚または６枚の撮影画像それぞれに合成させる背景画像が一括で選択させるようにしたが、セット背景のうちの所定の１つを選択することで、５枚または６枚の撮影画像それぞれに合成させる背景画像を個別に選択することができるようにしてもよい。これにより、利用者は、セット背景とは別に、気に入った背景画像を選択することができ、利用者の満足度を高めることができる。なお、セット背景を選択する操作が所定時間なされなかった場合、選択対象決定部３２４によって、予め決められたセット背景が選択対象に決定されるようになる。
【０１６６】
さて、図１４のフローチャートの説明に戻り、ステップＳ３５において、落書き編集部３２５は、タブレット内蔵モニタ１３１やスピーカ２３１等を制御して、落書き作業の流れを案内する画像や音声を出力することにより、利用者に対して落書き作業のガイダンスを行う。
【０１６７】
ステップＳ３６において、表示制御部３２２は、タブレット内蔵モニタ１３１に編集画面を表示する。
【０１６８】
図２０は、編集画面の例を示す図である。
【０１６９】
図２０に示されるように、編集画面６０１には、主な構成が、左右に２つずつ設けられている。これにより、基本的に同じ組の２人の利用者が同時に落書き編集入力を行うことができる。
【０１７０】
編集対象画像表示領域６１１−１には、タブレット内蔵モニタ１３１に対して左側の利用者が編集対象画像として選択した撮影画像が表示され、編集対象画像表示領域６１１−２には、タブレット内蔵モニタ１３１に対して右側の利用者が編集対象画像として選択した撮影画像が表示される。
【０１７１】
編集対象画像表示領域６１１−１，６１１−２には、利用者が２人の場合の編集対象画像、すなわち、縦横比が約１：１．２の画角の編集対象画像が表示される。
【０１７２】
編集対象画像表示領域６１１−１，６１１−２それぞれの上側には、編集対象となる６枚の撮影画像を縮小したサムネイル画像Ｐ１乃至Ｐ６が表示されている。すなわち、この例では、撮影処理において２人用コースまたは３人用コースのいずれかが選択されているものとする。
【０１７３】
編集対象画像表示領域６１１−１，６１１−２それぞれの下側には、落書き作業に用いられる各種ボタンを挟んで、編集対象画像表示領域６１１−１，６１１−２に表示されている編集対象画像に対して落書き編集入力を行うための編集機能を提供する編集ツールとして、編集対象画像に合成される合成用画像を、利用者に選択させるための編集用パレット６１２−１，６１２−２が表示される。
【０１７４】
編集用パレット６１２−１，６１２−２には、合成用画像が「make（メイク）」、「moji（文字）」、「Stamp（スタンプ）」、「Pen（ペン）」といったカテゴリ毎のタブに表示されるようになされている。
【０１７５】
さらに、編集用パレット６１２−１，６１２−２には、上述したカテゴリ毎のタブに加え、利用者に選択され、選択対象決定部３２４により選択対象に決定されたセット背景の名称を含む文字列が表示されたタブが設けられており、このタブが選択されることにより、利用者に選択されたセット背景に対応した合成用画像が表示されるようになされている。
【０１７６】
具体的には、ステップＳ３４において、利用者によって「パステルセット」のセット背景５３４（図１６）が選択されているものとすると、図２０に示されるように、編集用パレット６１２−１，６１２−２には、そのセット背景の名称である「パステル」を含む「パステルsetにピッタリ！」の文字列が表示されたタブが表示される。なお、「パステルセット」のセット背景の名称を「パステルセット」と定義するようにしてもよい。
【０１７７】
そして、図２０に示されるように、編集用パレット６１２−１においては、「パステルsetにピッタリ！」の文字列が表示されたタブが選択されており、さらに、その編集用パレット６１２−１に表示される合成用画像は、「ペン＆スタンプ」、「顔らくがき」、「日付＆おなまえ」、「わく」、「一発らくがき」の５つの小カテゴリ毎に分かれている。図２０の例では、「ペン＆スタンプ」タブが選択されており、その編集用パレット６１２−１には、編集対象画像に合成される合成用画像として、パステルセットのセット背景に含まれる背景画像と同じか、または類似したテイストのペン画像を選択させるための複数のペンアイコン６３１と複数のスタンプ画像を選択させるためのスタンプアイコン６３２が表示されるようになる。すなわち、ペンアイコン６３１およびスタンプアイコン６３２は、他のタブが選択されることで表示される合成用画像と比較して、利用者に選択されたセット背景との統一感を損なわない色味や大きさとなっている。ペンアイコン６３１およびスタンプアイコン６３２のうちのいずれかが利用者に選択され、編集対象画像表示領域６１１−１に表示されている編集対象画像上の所定の領域や位置が選択されると、対応するペン画像またはスタンプ画像が編集対象画像に合成されるようになる。
【０１７８】
このように、編集用パレット６１２−１において、利用者に選択されたセット背景の名称を含む文字列が表示されたタブが表示されるので、利用者に、そのタブを自然に選択させるとともに、自分で選択したセット背景を落書き作業時にも認識させることが可能となる。さらに、そのタブには、利用者に選択されたセット背景に対応した合成用画像が表示されるので、より確実に、統一感のある画像を提供することが可能となる。
【０１７９】
なお、編集用パレット６１２−１において、各カテゴリのタブの色が、利用者に選択されたセット背景に含まれる背景画像の色に応じて変更されるようにしてもよいし、利用者に選択されているタブの色のみが、利用者に選択されたセット背景に含まれる背景画像の色に応じて変更されるようにしてもよい。
【０１８０】
さらに、利用者に選択されたセット背景の名称を含む文字列が表示されたタブの色を、他のタブの色と異なる色やグラデーション表示とするようにしてもよい。これにより、利用者に選択されたセット背景の名称を含む文字列が表示されたタブは、他のタブより目立って見え、そのタブを、より確実に利用者に選択させることができるようになる。
【０１８１】
また、利用者に選択されたセット背景の名称を含む文字列が表示されるタブにおいて、そのタブに表示される文字列の書体を、利用者に選択されたセット背景に含まれる背景画像の色に応じた書体とするようにしてもよい。具体的には、セット背景に含まれる背景画像の色が全体的に淡い色である場合には、タブに表示される文字列の書体を柔らかい雰囲気のポップ体としたり、セット背景に含まれる背景画像の色が全体的に濃い色である場合には、タブに表示される文字列の書体をかたい雰囲気の明朝体とするようにしてもよい。加えて、そのタブにおいて表示される文字列のうち、利用者に選択されたセット背景の名称のみを強調するように大きくしたり、色を変えたりしてもよい。
【０１８２】
さらに、利用者に選択されたセット背景に応じて、編集対象画像に合成される合成用画像の配置や大きさを変えるようにしてもよい。これにより、落書き編集後の編集済み画像の雰囲気を、より違和感のないものにすることができる。
【０１８３】
さらにまた、利用者に選択されたセット背景の名称を含む文字列が表示されるタブが選択された場合、編集用パレット６１２−１に表示され利用者に選択される合成用画像を、利用者に選択されたセット背景の名称に応じた合成用画像に変えるようにしてもよい。
【０１８４】
例えば、利用者によって「おしゃれセット」のセット背景５５５（図１７）が選択され、「おしゃれセット」の名称である「おしゃれ」を含む文字列が表示されたタブが選択されている場合、「おしゃれ」という言葉から想起される雰囲気のスタンプ画像が編集用パレット６１２−１に表示されるようにする。また、利用者によって「ラブラブセット」のセット背景５６１（図１８）が選択され、「ラブラブセット」の名称を含む文字列が表示されたタブが選択されている場合、「ラブラブ」という言葉から想起される色や形状、例えばピンク色でハート型のスタンプ画像が編集用パレットに表示されるようにする。
【０１８５】
これにより、セット背景に含まれる背景画像をよく確認せずに、その名称だけでセット背景を選択した利用者に対しても、その利用者の所望するものと同じか、または類似したテイストの合成用画像を提供することができ、利用者の満足度を向上させることができる。
【０１８６】
また、利用者に選択されたセット背景の名称を含む文字列が表示されるタブに、利用者に選択されたセット背景のサムネイル画像が表示されるようにしてもよい。
【０１８７】
なお、６枚の撮影画像それぞれに合成させる背景画像を個別に選択できるセット背景が選択されている場合には、６枚の撮影画像それぞれに合成される、個別に選択された背景画像それぞれの名称を含む文字列が表示されたタブが表示されるようにしてもよい。ここで、このタブが選択されることにより、編集用パレットにおいては、利用者に選択された背景画像に対応した合成用画像が表示されるようになる。
【０１８８】
一方、図２０に示されるように、編集用パレット６１２−２においては、「pen」タブが選択されている。「pen」タブが選択された編集用パレット６１２−２に表示されるペンアイコンは、「おすすめ」「極細」、「極太」、「マーカー」、「おしゃれ」、「ふち」、「ネオン」、「ぷにょ」、「カラフル」、「ノーマル」の１０の小カテゴリ毎に分かれており、それぞれのカテゴリ名が付された小タブを選択することによって、編集用パレット６１２−２に表示されるペンアイコンを切り替えることができるようになされている。
【０１８９】
また、各カテゴリの小タブが選択された編集用パレット６１２−２には、そのカテゴリに属するペン画像のペンアイコンが２種類ずつ表示される。すなわち、「pen」タブが選択された編集用パレット６１２−２においては、１０（カテゴリ）×２（種類）＝２０（種類）のペンアイコンが表示され、利用者に選択されるようになる。図２０の例においては、「マーカー」の小カテゴリが選択され、「マーカー」の小カテゴリに属する２種類（マーカー、水性マーカー）のペンアイコンが表示されている。
【０１９０】
所定の小タブが選択された編集用パレット６１２−２には、３種類以上のペンアイコンを表示させることは可能ではあるが、小タブ毎に表示されるペンアイコンの種類を増やすのではなく、小タブ自体の数を増やすことで、利用者にとっては、ペンアイコンの選択肢の数が多く見えるようになり、利用者の満足度を向上させることが可能となる。
【０１９１】
さて、編集対象画像表示領域６１１−１の右側には、１回の操作で複数の落書き編集入力を行えるようにするための一発落書きボタン６１３−１と、携帯端末に送信する画像の編集を行うときに操作されるケータイおまけボタン６１４−１が設けられている。同様に、編集対象画像表示領域６１１−２の左側には、一発落書きボタン６１３−２とケータイおまけボタン６１４−２が設けられている。ケータイおまけボタン６１４−１，６１４−２が操作されると、ケータイおまけ（携帯端末用の待受画像や、メールやブログ等のテキストデータに添付される装飾画像であるオリジナルデコメ）の作成を行うことができる。
【０１９２】
さらに、編集画面の中央には、編集時のBGMの設定を行うときに操作されるボタン等の表示領域を有するBGM設定部６１５が設けられている。BGM設定部６１５の領域の大半は、設定されたBGMに合わせた動画像が表示される領域であり、その下側の残りの領域が、BGMとしての楽曲やその音量を設定するためのボタン等の表示領域である。
【０１９３】
図１４のフローチャートに戻り、ステップＳ３７において、落書き編集部３２５は、編集部２０９Ａまたは編集部２０９Ｂ（利用者が編集作業を行う方）の各部を制御して、利用者による撮影画像に対する落書き作業を受け付ける落書き編集処理を行う。すなわち、落書き編集部３２５は、利用者の編集入力によって、編集対象画像に合成用画像を合成する。
【０１９４】
落書き作業が終了すると、ステップＳ３８において、表示制御部３２２は、タブレット内蔵モニタ１３１にGUIを表示し、入力受付部３２３は、利用者からの指示を受け付け、シール紙の分割数を選択させる。そして、分割数設定部３２６は、利用者からの指示に応じて、シール紙の分割数を設定し、シールレイアウトを決定する。
【０１９５】
その後、編集処理部３０２が、落書き編集処理の結果得られた編集済み画像を、記憶部２０２に保存（記憶）させると、図１１のステップＳ４に戻り、それ以降の処理が行われる。
【０１９６】
以上においては、編集用パレットにおけるタブの１つに、利用者に選択されたセット背景の名称を含む文字列が表示されるようにしたが、この文字列は、編集画面６０１における他の領域に表示されるようにしてもよい。
【０１９７】
例えば、図２１に示されるように、利用者に選択されたセット背景の名称を含む文字列６８１が、編集画面６０１におけるサムネイル画像（サムネイル画像Ｐ１乃至Ｐ６）の近傍の領域、具体的には、サムネイル画像Ｐ１乃至Ｐ６の上側の領域に表示されるようにしてもよい。
【０１９８】
通常、利用者は、サムネイル画像Ｐ１乃至Ｐ６のいずれかを確認して、編集対象画像を選択するが、サムネイル画像の近傍に、利用者に選択されたセット背景の名称を含む文字列を表示させることで、利用者に、どのセット背景を選択したかを認識させることができ、利用者に選択されたセット背景の名称を含む文字列が表示されたタブを、より確実に選択させることが可能となる。
【０１９９】
なお、６枚の撮影画像それぞれに合成させる背景画像を個別に選択できるセット背景が選択されている場合には、図２２に示されるように、利用者に選択された背景画像それぞれの名称を表す文字列６９１−１乃至６９１−６が、編集画面６０１におけるサムネイル画像Ｐ１乃至Ｐ６それぞれの近傍の領域、具体的には、サムネイル画像Ｐ１乃至Ｐ６それぞれの上側の領域に表示されるようにしてもよい。これにより、利用者に、どのセット背景に含まれる背景画像を選択したかを認識させることができ、利用者に選択された背景画像の名称を含む文字列が表示されたタブを、より確実に選択させることが可能となる。結果として、利用者は、編集対象画像を、統一感のある画像に編集することができる。
【０２００】
また、編集用パレットにおけるタブの１つに、名前入力画面４０１（図１５）において、利用者に選択され、選択対象決定部３２４により選択対象に決定された文字からなる利用者の名前を含む文字列が表示されるようにしてもよい。そして、利用者の名前を含む文字列が表示されているタブが選択された場合、編集用パレットには、利用者の名前を含む合成用画像（スタンプ画像）が複数表示されるようにする。
【０２０１】
これにより、利用者に、自分の名前を含むスタンプ画像を選択させることができ、ペン画像を用いて自分の名前を入力するより簡単に編集作業を行わせることができ、利用者の満足度を向上させることができる。
【０２０２】
この場合も、利用者の名前が表示されるタブの色や、そのタブに表示される文字列の書体、大きさ、色の他、表記の仕方（ひらがな、カタカナ、ローマ字等）を、他のタブと異なるようにすることで、そのタブを目立たせることができる。
【０２０３】
なお、利用者が３人以上の場合には、タブを大きくしたり、表示される文字の大きさを小さくしたりすることで、利用者の名前を全てそのタブに表示させるようにする。
【０２０４】
さらに、撮影処理において表示される人数選択画面９２（図１３）において、利用者に選択された人数を含む文字列が表示されるようにしてもよい。この場合、撮影処理部３０１に選択対象決定部３２４を設けるようにし、選択対象決定部３２４によって、利用者に選択された利用者の人数が、撮影に関する選択肢の中の選択対象として決定される。そして、利用者の人数を含む文字列が表示されているタブが選択された場合、編集用パレットには、利用者の人数に合った合成用画像が表示されるようにする。
【０２０５】
例えば、編集用パレットには、利用者の人数によって、大きさの異なるスタンプ画像が表示されるようにする。例えば、利用者の人数が２人の場合、撮影画像においては、人物以外の領域が比較的広くなるので、大きめのスタンプ画像を用意するようにする。一方、利用者の人数が４人の場合、撮影画像においては、人物以外の領域が比較的狭くなるので、小さめのスタンプ画像を用意するようにする。
【０２０６】
これにより、編集対象画像において、被写体と合成用画像とのバランスを良くすることができ、完成度の高い画像を提供することができる。
【０２０７】
また、以上においては、編集用パレットのタブや、サムネイル画像の近傍等、編集画面上の所定の表示領域に、利用者に選択された（選択対象決定部３２４により決定された）選択対象に応じた情報（文字列）を表示するようにしたが、ステップＳ３８において表示される、シールレイアウトを選択するためのシールレイアウト選択画面上の所定の表示領域に、選択対象に応じた情報が表示されるようにしてもよい。
【０２０８】
［シールレイアウト選択画面］
図２３は、シールレイアウトの選択の際に表示されるシールレイアウト選択画面の例を示す図である。
【０２０９】
シールレイアウト選択画面７０１には、シール紙がカットされて出力される、同じ大きさの印刷画像のシールレイアウトである「切れてる分割」、および、シール紙に対して印刷画像のサイズを小さくまたは大きくしたシールレイアウトである「小分割・大分割」が、それぞれタブ毎に表示されるようになされている。
【０２１０】
さらに、シールレイアウト選択画面７０１には、上述したタブに加え、利用者に選択されたセット背景の名称を含む文字列が表示されたタブが設けられており、このタブが選択されることにより、利用者に選択されたセット背景に対応したシールレイアウトが表示されるようになされている。
【０２１１】
具体的には、ステップＳ３４において、利用者によってパステルセットのセット背景５３４（図１６）が選択されているものとすると、図２３に示されるように、シールレイアウト選択画面７０１には、「パステルSetにおすすめの分割」の文字列が表示されたタブが表示される。
【０２１２】
そして、シールレイアウト選択画面７０１においては、「パステルSetにおすすめの分割」タブが選択されている。
【０２１３】
シールレイアウト選択画面７０１には、主な構成が、左右に２つずつ設けられている。これにより、基本的に同じ組の２人の利用者が同時にシールレイアウトの選択を行うことができる。
【０２１４】
シールレイアウト選択画面７０１の左側には、選択対象レイアウト表示部７１１−１、選択済レイアウト表示部７１２−１、縦横選択ボタン７１３−１、およびＯＫボタン７１４−１が表示されている。
【０２１５】
選択対象レイアウト表示部７１１−１には、シールレイアウトを利用者に提示し選択させるためのレイアウト画像が複数表示されており、そのうちのいずれかが利用者によって選択されると、選択されたレイアウト画像が、選択済レイアウト表示部７１２−１に表示される。
【０２１６】
縦横選択ボタン７１３−１は、利用者に選択させるシールレイアウトとして、画像が主に縦方向に配列される縦長のシールレイアウトと、画像が主に横方向に配列される横長のシールレイアウトのいずれかの選択の入力を受け付けるためのボタンである。
【０２１７】
ＯＫボタン７１４−１は、選択済レイアウト表示部７１２−１に表示されているレイアウト画像で与えられるシールレイアウトを、最終的に出力されるシール紙における印刷画像の配置を表すシールレイアウトとして決定するためのボタンである。
【０２１８】
シールレイアウト選択画面７０１の右側には、選択対象レイアウト表示部７１１−２、選択済レイアウト表示部７１２−２、縦横選択ボタン７１３−２、およびＯＫボタン７１４−２が表示されているが、基本的な構成は、シールレイアウト選択画面７０１の右側と同様であるので、その説明は省略する。
【０２１９】
選択対象レイアウト表示部７１１−１には、シールレイアウトとして、「パステルセット」のセット背景に含まれる背景画像に合った配置となるシールレイアウトを選択させるためのレイアウト画像７２１Ａ，７２１Ｂ，７２１Ｃが表示されるようになる。レイアウト画像７２１Ａ，７２１Ｂ，７２１Ｃのうちのいずれかが利用者に選択されることで、印刷処理部３０３による印刷処理において、選択されたシールレイアウトの印刷画像（編集済み画像）がシール紙に印刷され出力されるようになる。
【０２２０】
このように、シールレイアウト選択画面７０１において、利用者に選択されたセット背景の名称を含む文字列が表示されたタブが表示されるので、利用者に、そのタブを自然に選択させることが可能となる。さらに、そのタブには、利用者に選択されたセット背景に対応したレイアウト画像が表示されるので、より確実に、統一感のある画像が印刷されたシール紙を提供することが可能となる。
【０２２１】
なお、シールレイアウト選択画面７０１に表示されるタブもまた、編集用パレットに表示さされるタブと同様に、タブの色や、表示される文字列の書体、大きさ、色等が変更されるようにできる。
【０２２２】
また、従来、印刷処理において印刷され出力されるシール紙には、その縁の部分に、写真シール機の機種名や撮影コース名、撮影日時等が印刷されるようになされているが、図２４に示されるシール紙の例のように、利用者により選択されたセット背景を含む文字列７５１が印刷されるようにしてもよい。
【０２２３】
これにより、様々なセット背景での撮影を所望する利用者は、印刷されたシール紙を確認することで、毎回異なるセット背景を選択することができるようになる。また、利用者が気に入ったセット背景を見つけた場合、印刷されたシール紙を確認することで、利用者は、再び、その気に入ったセット背景を選択することができるようになる。
【０２２４】
［その他］
以上においては、利用者に選択されたセット背景に応じて、編集画面やシールレイアウト選択画面における表示が変わる例について説明したが、BGM設定部６１５（図２０）によって設定される編集時のBGMが変わるようにしてもよい。この場合、１つのセット背景には、例えば１０の楽曲が紐づけられ、選択されたセット背景に紐づけられている１０曲が、編集時のBGMとして設定されるようになる。
【０２２５】
例えば、セット背景として、「誕生日セット」のセット背景５６３（図１８）が選択されている場合、編集時のBGMとして、誕生日を祝う楽曲が設定されるようにする。なお、BGM設定部６１５において動画像が表示される領域には、その楽曲に合わせた動画像が表示されるようになる。
【０２２６】
また、以上においては、セット背景は、落書き編集処理の前に選択されるものとしたが、落書き編集処理の最中に選択（変更）されるようにしてもよい。具体的には、編集画面上の所定の領域に、セット背景の選択を行うためのボタン等を設け、そのボタンが操作されることで、セット背景選択画面がポップアップ表示されるようにする。この場合、セット背景選択画面においてセット背景が選択される度に、編集画面の所定の表示領域に表示される、セット背景の名称を含む文字列が変更されるようにする。
【０２２７】
なお、セット背景に限らず、利用者の名前や利用者の人数等が、落書き編集処理の最中に変更されるようにしてもよい。
【０２２８】
上述した一連の処理は、ハードウェアにより実行させることもできるし、ソフトウェアにより実行させることもできる。上述した一連の処理をソフトウェアにより実行させる場合には、そのソフトウェアを構成するプログラムが、ネットワークや記録媒体からインストールされる。
【０２２９】
この記録媒体は、例えば、図８に示されるように、装置本体とは別に、写真シール作成装置１の管理者にプログラムを配信するために配布される、プログラムが記録されている磁気ディスク（フレキシブルディスクを含む）、光ディスク（CD-ROMおよびDVDを含む）、光磁気ディスク（MDを含む）、もしくは半導体メモリなどよりなるリムーバブルメディア２０５により構成されるだけでなく、装置本体に予め組み込まれた状態で管理者に配信される、プログラムが記録されているROM２０６や、記憶部２０２に含まれるハードディスクなどで構成される。
【０２３０】
なお、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【０２３１】
以上において、印刷媒体は、シール紙や写真紙に限られるものではなく、例えば、所定のサイズの紙やフィルム、ポスター用の紙、テレホンカードなどのカード、あるいは、Ｔシャツなどの布地などに印刷するようにしてもよい。
【０２３２】
また、本発明の実施の形態は、上述した実施の形態に限定されるものではなく、本発明の要旨を逸脱しない範囲において種々の変更が可能である。
【符号の説明】
【０２３３】
１  写真シール作成装置
１１  撮影ユニット
１２  編集部
１３  事後接客部
２０１  制御部
２０８  撮影部
２０９  編集部
２１０  事後接客部
３０１  撮影処理部
３０２  編集処理部
３０３  印刷処理部
３０４  事後接客処理部
３２１  撮影画像取得部
３２２  表示制御部
３２３  入力受付部
３２４  選択対象決定部
３２５  落書き編集部
３２６  分割数設定部
【図１】
2015090448.tif 000003
【図２】
2015090448.tif 000004
【図３】
2015090448.tif 000005
【図４】
2015090448.tif 000006
【図５】
2015090448.tif 000007
【図６】
2015090448.tif 000008
【図７】
2015090448.tif 000009
【図８】
2015090448.tif 000010
【図９】
2015090448.tif 000011
【図１０】
2015090448.tif 000012
【図１１】
2015090448.tif 000013
【図１２】
2015090448.tif 000014
【図１３】
2015090448.tif 000015
【図１４】
2015090448.tif 000016
【図１５】
2015090448.tif 000017
【図１６】
2015090448.tif 000018
【図１７】
2015090448.tif 000019
【図１８】
2015090448.tif 000020
【図１９】
2015090448.tif 000021
【図２０】
2015090448.tif 000022
【図２１】
2015090448.tif 000023
【図２２】
2015090448.tif 000024
【図２３】
2015090448.tif 000025
【図２４】
2015090448.tif 000026